(57)【要約】【課題】周囲に雑音が存在する場合であっても、快適に視聴することが可能なプロジェクターを提供すること。【解決手段】スピーカー４、５を有するプロジェクター１０であって、スピーカー４、５が、プロジェクター本体１に対して取り外し可能に形成され、スピーカー４、５が取り外されているか否かを検出する検出部３４と、スピーカー４、５が取り外されていると検出された場合には、音声情報をスピーカー４、５に対して無線送信する送信部５０とを備える。【選択図】図１
2010250116.tif 000002
【特許請求の範囲】
【請求項１】
スピーカーを有するプロジェクターであって、
前記スピーカーが、プロジェクター本体に対して取り外し可能に形成され、
前記スピーカーが取り外された状態において、前記スピーカーから音声が出力されるように構成されたプロジェクター。
【請求項２】
前記スピーカーが取り外されているか否かを検出する検出部と、
前記検出部が、前記スピーカーが取り外されていると検出した場合は、音声情報を前記スピーカーに対して無線送信する送信部と、
を更に備えたことを特徴とする請求項１に記載のプロジェクター。
【請求項３】
前記スピーカーは、右用スピーカーと左用スピーカーで構成されており、
前記右用スピーカーと前記左用スピーカーのいずれかに前記スピーカーの配置を検出するスピーカー配置検出部を備え、
前記スピーカー配置検出部が、左側スピーカーと右側スピーカーの配置が入れ替わったことを検出すると、
前記送信部は、前記音声情報を左右入れ替えて送信することを特徴とする請求項１ないし２に記載のプロジェクター。
【請求項４】
前記スピーカーは、フロントスピーカーおよびリアスピーカーで構成されており、
前記検出部が、前記フロントスピーカーが取り外されていると検出した場合は、
前記送信部は、前記音声情報を前後入れ替えて送信することを特徴とする請求項１ないし３のいずれかに記載のプロジェクター。
【発明の詳細な説明】
【技術分野】
【０００１】
本発明は、プロジェクターに関する。
【背景技術】
【０００２】
従来から、スピーカーを内蔵したプロジェクターが知られている。（例えば、特許文献１）。
【先行技術文献】
【特許文献】
【０００３】
【特許文献１】特開２００８−２８３７１６号公報
【発明の概要】
【発明が解決しようとする課題】
【０００４】
しかしながら従来のプロジェクターでは、スピーカーをプロジェクター本体から取り外すことができなかったため、周囲に雑音が存在する場合などに、プロジェクター本体とユーザーとの位置関係によっては、スピーカーから出力された音声が聞き取りづらいといった問題点があった。
【０００５】
本発明は、以上のような課題に鑑みてなされたものであり、周囲に雑音が存在する場合であっても、快適に視聴することが可能なプロジェクターを提供することにある。
【課題を解決するための手段】
【０００６】
（１）本発明は、スピーカーを有するプロジェクターであって、前記スピーカーが、プロジェクター本体に対して取り外し可能に形成され、前記スピーカーが取り外された状態において、前記スピーカーから音声が出力されるように構成されたことを特徴とする。
【０００７】
本発明によれば、周囲に雑音が存在する場合であっても、スピーカーをプロジェクターから取り外して、視聴者の近くに設置することができ、より快適に視聴することができる。
【０００８】
（２）また本発明に係るプロジェクターは、前記スピーカーが取り外されているか否かを検出する検出部と、前記検出部が、前記スピーカーが取り外されていると検出した場合は、音声情報を前記スピーカーに対して無線送信する送信部とを更に備えるようにしてもよい。
【０００９】
本発明によれば、スピーカーをより自由な位置に設置することができる。
【００１０】
（３）また本発明に係るプロジェクターは、前記スピーカーは、右用スピーカーと左用スピーカーで構成されており、前記右用スピーカーと前記左用スピーカーのいずれかに前記スピーカーの配置を検出するスピーカー配置検出部を備え、前記スピーカー配置検出部が、左側スピーカーと右側スピーカーの配置が入れ替わったことを検出すると、前記送信部は、前記音声情報を左右入れ替えて送信するようにしてもよい。
【００１１】
本発明によれば、右側スピーカーと左側スピーカーの配置が入れ替わった場合でも、２つのスピーカーから適正な音声を出力することができる。
【００１２】
（４）また本発明に係るプロジェクターは、前記スピーカーは、フロントスピーカーおよびリアスピーカーで構成されており、前記検出部が、前記フロントスピーカーが取り外されていると検出した場合は、前記送信部は、前記音声情報を前後入れ替えて送信するようにしてもよい。
【００１３】
本発明によれば、フロントスピーカーが取り外された場合でも２つのスピーカーから適正な音声を出力することができる。
【図面の簡単な説明】
【００１４】
【図１】本実施形態のプロジェクターの外観斜視図。
【図２】本実施形態のプロジェクターの縦断面図の一部を示す図。
【図３】本実施形態のプロジェクターの機能ブロック図。
【図４】変形例について説明するための図。
【図５】変形例について説明するための図。
【発明を実施するための形態】
【００１５】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１６】
１．構成
図１（Ａ）、図１（Ｂ）は、本実施形態におけるプロジェクターの外観斜視図である。なお、図１（Ａ）は、スピーカーが装着された状態におけるプロジェクターの斜視図であり、図１（Ｂ）は、スピーカーを取り外した状態におけるプロジェクターの斜視図である。
【００１７】
プロジェクター１０は、プロジェクター本体１と、プロジェクター本体に画像情報を出力するＤＶＤプレーヤー２と、スピーカー４、５を含む
プロジェクター本体１は、投射レンズ４６を備える。またプロジェクター本体１は、プロジェクター１０の起動等の操作、及びＤＶＤプレーヤー２の再生等の操作を行うための操作部を備えるようにしてもよい。
【００１８】
ＤＶＤプレーヤー２は、ＤＶＤ等の記録媒体を再生することで記録媒体に記録された画像情報を、プロジェクター本体１に出力する。ＤＶＤプレーヤー２は、ＤＶＤ挿抜口３を備える。ＤＶＤ挿抜口３は、ＤＶＤ等の記録媒体が挿抜されるスロットインタイプの挿抜口である。
【００１９】
スピーカー４、５は、ステレオスピーカーとして構成され、入力される音声情報に応じて音声を出力するものであり、例えば、ＤＶＤ挿抜口３に挿入された記録媒体に記録された音声情報に応じた音声を出力する。
【００２０】
また、図１（Ａ）、図１（Ｂ）に示すように、スピーカー４、５は、プロジェクター本体１に対して取り外し可能に形成されている。また、ユーザーが左右のスピーカー４、５を明確に区別して配置又は装着することができるようにするために、スピーカー４、５は、左右非対称な形状となっている。また、スピーカー４、５が取り外された状態においてもスピーカー４、５から音声が出力されるように構成されている。
【００２１】
図２は、プロジェクター１０の縦断面図の一部を示す図である。
【００２２】
図２に示すように、プロジェクター本体１の内部には、端子ＴＡ１が設けられ、スピーカー４、５には、端子ＴＡ２が設けられ、スピーカー４、５がプロジェクター本体１に取り付けられた状態において、端子ＴＡ１と端子ＴＡ２が接続（接触）するように構成されている。すなわち、スピーカー４、５がプロジェクター本体１に取り付けられた状態（端子ＴＡ１と端子ＴＡ２が接触している状態）では、ＤＶＤプレーヤー２からの音声情報は端子ＴＡ１、ＴＡ２を介してスピーカー４、５に出力される。
【００２３】
また、スピーカー４、５がプロジェクター本体１から取り外された状態（端子ＴＡ１と端子ＴＡ２が接触していない状態）では、ＤＶＤプレーヤー２からの音声情報はプロジェクター本体１が備える送信部からスピーカー４、５に対して無線送信される。
【００２４】
このように、本実施形態によれば、ユーザーは、図１（Ａ）に示すように、スピーカー４、５をプロジェクター本体１に取り付けてプロジェクター本体１とスピーカー４、５とを一体として持ち運ぶこともできるし、またＤＶＤ等を視聴する際には、図１（Ｂ）に示すように、スピーカー４、５をプロジェクター本体１から取り外して、取り外したスピーカー４、５を視聴に適した位置に自由に配置することができる。従って、プロジェジェクタ本体１をユーザーから離れたところに配置し、且つユーザーの周囲に雑音が存在するような場合であっても、ユーザーはスピーカー４、５のみを自身の近くに配置することができるため、より快適に視聴することができる。
【００２５】
２．機能ブロック
図３は、本実施形態におけるプロジェクターの機能ブロック図の一例である。なお、本実施形態のプロジェクターは、図１の構成要素（各部）の一部を省略した構成としてもよい。
【００２６】
本実施の形態のプロジェクター１０は、操作部７０を含む。操作部７０は、ユーザーがプロジェクター１０の起動等の操作、及びＤＶＤプレーヤー２の再生等の操作を行うための操作データを入力するためのものであり、その機能は、レバー、ボタン、つまみ、タッチパネル等により実現できる。
【００２７】
本実施の形態のプロジェクター１０は、制御部３０を含む。制御部３０は、プロジェクター１０の各種処理を行うもので、ＣＰＵやＤＳＰ等のハードウェアとプロジェクター１０の各種処理を実行するためのプログラム等によって実現してもよい。制御部３０は、表示部４４に表示する画像を制御する表示制御部３２と、検出部３４を含む。
【００２８】
検出部３４は、スピーカー４、５がプロジェクター本体１から取り外されているか否かを検出する。具体的には、図２に示す端子ＴＡ１と端子ＴＡ２とが接触していることを検出した場合には取り外されていないことを検出し、端子ＴＡ１と端子ＴＡ２とが接触していないことを検出した場合には、取り外されていることを検出する。
【００２９】
本実施の形態のプロジェクター１０は、ＤＶＤプレーヤー２と、スピーカー４、５と、音声情報を無線送信する送信部５０を含む。また、スピーカー４、５は、受信部６、７を含む。
【００３０】
ＤＶＤプレーヤー２は、ＤＶＤ等の記録媒体に記録された画像情報を表示制御部３２に出力し、ＤＶＤ等の記録媒体に記録された音声情報を処理する。また、ＤＶＤプレーヤー２は、検出部３４によってスピーカー４、５が取り外されていないことが検出された場合には、処理された音声情報を図２に示す端子ＴＡ１を介してスピーカー４、５に対して出力する。具体的には、スピーカー４から音声を出力するための右側用音声情報をスピーカー４に対して出力し、スピーカー５から音声を出力するための左側用音声情報をスピーカー５に対して出力する。
【００３１】
また、ＤＶＤプレーヤー２は、検出部３４によってスピーカー４、５が取り外されていることが検出された場合には、処理された音声情報を送信部５０に対して出力する。
【００３２】
送信部５０は、ＤＶＤプレーヤー２から出力された音声情報のうち、右側用音声情報をスピーカー４の受信部６に対して無線送信し、左側用音声情報をスピーカー５の受信部７に対して無線送信する。
【００３３】
スピーカー４、５は、ＤＶＤプレーヤー２から出力された音声情報、又は送信部５０から無線送信された音声情報に基づく音声を出力する。受信部６、７は、送信部５０から無線送信された音声情報を受信する。また、スピーカー４、５は、送信部５０から無線受信された音声情報を増幅する増幅部を含むようにしてもよい。また、スピーカー４、５は、それぞれ蓄電池を備え、蓄電池からの電力を受信部６、７や増幅部に供給するようにしてもよい。
【００３４】
本実施の形態のプロジェクター１０は、投射光学系４０を含む。投射光学系４０は、ランプユニット等の光源４２、表示部４４と、投射レンズ４６とを備えており、プロジェクター１０の外部のスクリーン面２１０等に画像の投射表示を行うものであり、表示部４４に表示されている画像をスクリーン２１０に投射する投射部として機能する。
【００３５】
表示部４４は、液晶パネルやライトバルブ、ＤＭＤ（Digital Micromirror device）等で実現され、表示制御部３２によって制御された画像を表示するように構成されている。なお、ＤＭＤは米国テキサス・インスツルメンツ社の商標である。
【００３６】
光源４２は、表示部４４に光を照射するものであって、バラスト部６４で生成された光源駆動電力により点灯動作を行う。表示部４４は、マトリクス状に形成された図示しない複数の画素を備えており、光源４２から射出した光を、表示制御部３２から入力される画像信号３６に基づいて画素毎に変調することによって画像信号に応じた光学像を形成する。
【００３７】
表示部４４によって形成された光学像は、投射レンズ４６によってスクリーン面２１０等に投射される。
本実施の形態のプロジェクター１０は、電源部６０を含む。電源部６０は、ＡＣ１００Ｖ等の商用電源を入力してプロジェクター１０の各種動作に必要な直流の電源電圧を生成する主電源部６２と、投射光学系４０の光源４２を駆動するバラスト部６４とを含む。
【００３８】
主電源部６２は、商用電源を全波整流によって直流に変換する整流回路と、高調波電流を抑制するとともに力率を改善する力率改善（ＰＦＣ：Power Factor Correction）回路と、力率改善回路の出力をトランス（変圧器）により所定の電圧に変換するＤＣ−ＤＣ変換回路等とを有しており、商用電源から、制御部６０を動作させる動作電力等も生成するようにしてもよい。また主電源部６２は、図３に示す端子ＴＡ１を介してスピーカー４、５に電力を供給するようにしてもよい。
【００３９】
バラスト部６４は、トランスの１次側（商用電源側）に備えられた力率改善回路に接続されており、力率改善回路からの出力電圧を降圧させる降圧チョッパと、降圧チョッパによって降圧された直流電流を交流矩形波電流（光源駆動電力）に変換するインバータと、光源ランプの電極間の絶縁破壊を行って、光源ランプの始動を促すためのイグナイタ等とを備えている。
【００４０】
３．変形例
なお、本発明の適用は上述した実施例に限定されず、種々の変形が可能である。
【００４１】
例えば、本実施形態では、スピーカーが取り外された状態において、音声情報をスピーカーに対して無線送信する場合について説明したが、プロジェクター本体とスピーカーとをスピーカーケーブル等の有線により接続し、スピーカーが取り外された状態においても、スピーカーケーブルを介して音声情報をスピーカーに対して出力するようにしてもよい。この場合には、プロジェクター本体は、スピーカーが取り付けられた状態において、スピーカーケーブルを巻き取り収納する巻き取り機構を有するようにしてもよい。
【００４２】
また、本実施形態では、右側用音声情報を無線送信するスピーカーと左側用音声情報をする無線送信するスピーカーが予め決まっている場合について説明したが、右用スピーカー４と左用スピーカー５のいずれかにスピーカーの配置を検出するスピーカー配置検出部を備え、スピーカー配置検出部が、左側スピーカー４と右側スピーカー５の配置が入れ替わったことを検出すると、送信部５０は、音声情報を左右入れ替えて無線送信するようにしてもよい。
【００４３】
例えば、図４（Ａ）、図４（Ｂ）に示す例では、左側スピーカー５の左右側面にスピーカー配置検出部として機能するマイクＭＲ、ＭＬを設け、プロジェクター本体１の送信部５０から右側スピーカー４に対して配置検出用の音声情報を無線送信する。そして、マイクＭＲにより検出された音量ＶＲとマイクＭＬにより検出された音量ＶＬとの関係が、ＭＲ＞ＭＬである場合（図４（Ａ）に示す配置とした場合）には、スピーカー配置検出部は、右側スピーカー４が左側スピーカー５の右側に配置されていることを検出し、送信部５０は、右側用音声情報を右側スピーカー４に対して無線送信し、左側用音声情報を左側スピーカー５に対して無線送信する。一方、ＭＲ＜ＭＬである場合（図４（Ｂ）に示す配置とした場合）には、スピーカー配置検出部は、右側スピーカー４が左側スピーカー５の左側に配置されている（右側スピーカー４と左側スピーカー５の配置が入れ替わった）ことを検出し、送信部５０は、左側用音声情報を右側スピーカー４に対して無線送信し、右側用音声情報を左側スピーカー５に対して無線送信する。このようにすると、ユーザーＵＳがスピーカー４、５をどのように配置したとしても、スピーカー４、５から常に適正な音声を出力させることができる。
【００４４】
また、スピーカーをフロントスピーカーとリアスピーカーで構成し、検出部３４が、フロントスピーカーが取り外されていると検出した場合は、送信部５０は、音声情報を前後入れ替えて送信するようにしてもよい。
【００４５】
例えば、図５（Ａ）、図５（Ｂ）に示す例では、プロジェクターは、フロントスピーカー４、５と、リアスピーカー８、９を有し、そのうちフロントスピーカー４、５のみがプロジェクター本体１に対して取り外し可能に形成されている。そして、図５（Ａ）に示す例では、検出部３４は、フロントスピーカー４、５が取り外されていないと検出し、プロジェクター本体１は、前側用音声情報をフロントスピーカー４、５に出力し、後側用音声情報をリアスピーカー８、９に出力する。一方、図５（Ｂ）に示す例では、検出部３４は、フロントスピーカー４、５が取り外されていると検出し、プロジェクター本体１は、前側用音声情報をリアスピーカー８、９に出力し、送信部５０は、後側用音声情報をフロントスピーカー８、９に無線送信する。このようにすると、ユーザーＵＳは、フロントスピーカー４、５をプロジェクター本体１から取り外して自身の後方に設置するだけで、プロジェクター本体１に内蔵されたスピーカー８、９をフロントスピーカーとして使用し、取り外したスピーカー４、５をリアスピーカーとして使用することができる。
【００４６】
なお、この場合に、プロジェクター本体１から取り外されたスピーカー４、５の配置がプロジェクター本体１の前側であるのか後側であるのかを検出し、検出結果に応じて音声情報を無線送信するようにしてもよい。例えば、スピーカー４、５がプロジェクター本体１の前側に配置されていることを検出した場合には、前側用音声情報をスピーカー４、５に無線送信し、後側用音声情報をスピーカー８、９に出力する。一方、スピーカー４、５がプロジェクター本体１の後側に配置されていることを検出した場合には、後側用音声情報をスピーカー４、５に無線送信し、前側用音声情報をスピーカー８、９に出力する。
【符号の説明】
【００４７】
１  プロジェクター本体、２  ＤＶＤプレーヤー、３  ＤＶＤ挿抜口、４  スピーカー、５  スピーカー、６  受信部、７  受信部、１０  プロジェクター、３０  制御部、３２  表示制御部、３４  検出部、４０  投射光学系、４２  光源、４４  表示部、４６  投射レンズ、５０  送信部、６０  電源部、６２  主電源部、６４  バラスト部、７０  操作部
【図１】
2010250116.tif 000003
【図２】
2010250116.tif 000004
【図３】
2010250116.tif 000005
【図４】
2010250116.tif 000006
【図５】
2010250116.tif 000007